(57)【要約】【課題】簡素な振動低減部品により反射ミラーの振動を低減することができる光走査装置、及び該光走査装置を備えた画像形成装置を提供する。【解決手段】光走査装置１１は、筐体と、光源１と、ポリゴンミラー２と、拡大レンズ５と、拡大レンズ５を通過したレーザ光を反射して感光体１２の被走査面４に入射させる反射ミラー３と、反射ミラー３に止着された共振構造体２１などを備えている。共振構造体２１は、反射ミラー３の振動を低減するための部品であり、反射ミラー３の裏面の１箇所に両面テープで接着されている。この共振構造体２１は、ガラス１部材で構成されており、反射ミラー３の質量に応じた所定の質量を有している。【選択図】図２
2017223832.tif 000002
【特許請求の範囲】
【請求項１】
光源と、該光源からの光を反射して被走査面に入射する反射ミラーと、を備えた光走査装置において、
前記反射ミラーの１箇所に、所定の質量を有するガラス製の共振構造体が止着されていることを特徴とする光走査装置。
【請求項２】
前記共振構造体が前記反射ミラーに両面テープで接着されていることを特徴とする請求項１に記載の光走査装置。
【請求項３】
前記反射ミラーの質量に対する前記共振構造体の質量の比率が０．６５以上であることを特徴とする請求項１または請求項２に記載の光走査装置。
【請求項４】
前記共振構造体の質量が３６ｇ以上であることを特徴とする請求項１〜３のうちいずれか１項に記載の光走査装置。
【請求項５】
請求項１〜５のうちいずれか１項に記載の光走査装置を備えた画像形成装置。
【発明の詳細な説明】
【技術分野】
【０００１】
本発明は、光走査装置、及びそれを備えた画像形成装置に関するものである。
【背景技術】
【０００２】
レーザープリンタ、複写機、ファクシミリなどに適用される電子写真プロセス等、光走査装置を使用するものにおいては、光学部品が振動して光路中に光の振れが生じると、転写紙に形成される画像に濃度ムラ（ジッタ、バンディング）が発生してしまうことが既に知られている。
【０００３】
上記した光学部品の振動問題に関して、特許文献１には、反射ミラーに共振構造体が止着された光走査装置が開示されている。この共振構造体は、金属ばねや高分子材料から成る弾性体に質量体が持設された構造であり、その共振周波数ｆ１が反射ミラーの共振周波数ｆ２の近傍に設定されている。このような光走査装置においては、反射ミラーに振動エネルギーが与えられると、共振構造体が振動し、その振動エネルギーが共振構造体の弾性体の変形に消散されて、共振周波数ｆ２での反射ミラーの振動が選択的に低減される。
【発明の概要】
【発明が解決しようとする課題】
【０００４】
しかし、特許文献１に開示された共振構造体は、構成が複雑であることから、製造に手間がかかる上、反射ミラーへの止着にも手間がかかるという問題があった。
【０００５】
そこで、本発明は、簡素な振動低減部品により反射ミラーの振動を低減することができる光走査装置、及び該光走査装置を備えた画像形成装置を提供することを目的とする。
【課題を解決するための手段】
【０００６】
上述した課題を解決するために、本発明は、光源と、該光源からの光を反射して被走査面に入射する反射ミラーと、を備えた光走査装置において、前記反射ミラーの１箇所に、所定の質量を有するガラス製の共振構造体が止着されていることを特徴とする。
【発明の効果】
【０００７】
本発明によれば、反射ミラーの１箇所に、所定の質量を有するガラス製の共振構造体が止着されているので、この簡素な共振構造体により反射ミラーの振動を低減することができる。また、この共振構造体は、ガラス１部材で構成された簡素な部品であるので、当該共振構造体自体を容易に製造することができる上、反射ミラーへの止着も容易に行うことができる。
【図面の簡単な説明】
【０００８】
【図１】本発明の一実施形態にかかる光走査装置の斜視図である。
【図２】図１の光走査装置の説明図である。
【図３】図２の反射ミラー及び共振構造体の斜視図である。
【図４】反射ミラーの振動量を測定する実験装置の説明図である。
【図５】図４の実験装置を用いた反射ミラーの振動量測定方法を説明する図である。
【図６】図５の測定方法で測定された反射ミラーの振動量について説明するグラフである。
【図７】共振構造体の質量変化に対する反射ミラーの１次ピーク振動量の実験結果および近似式について説明する図である。
【図８】共振構造体の質量変化に対する反射ミラーの２次ピーク振動量の実験結果および近似式について説明する図である。
【図９】本発明の一実施形態にかかる画像形成装置の概略構成図である。
【発明を実施するための形態】
【０００９】
本発明の一実施形態にかかる光走査装置及びそれを備えた画像形成装置を、図１〜９を参照して説明する。
【００１０】
図１，２に示す光走査装置１１は、電子写真プロセスを用いた画像形成システムに組み込み使用されるものである。この光走査装置１１は、筐体１０と、被形成画像で変調されたレーザ光を出射する光源１と、駆動源によって回転駆動され、光源１からのレーザ光を反射するポリゴンミラー２と、ポリゴンミラー２からの反射光が入射され、走査領域を拡大する拡大レンズ５と、拡大レンズ５を通過したレーザ光を反射して感光体１２の被走査面４に入射させる反射ミラー３と、反射ミラー３に止着された共振構造体２１などを備えている。また、筐体１０の下方には、感光体１２を含んで構成される画像形成部が配置されている。
【００１１】
共振構造体２１は、反射ミラー３の振動を低減するための部品であり、図２及び図３に示すように、反射ミラー３の裏面（レーザ光を反射する反射面と反対側の面）の１箇所に止着されている。この共振構造体２１は、ガラス１部材で構成されており、反射ミラー３の質量に応じた所定の質量を有している。
【００１２】
このように、光走査装置１１においては、反射ミラー３の１箇所に所定の質量を有するガラス製の共振構造体２１が止着されているので、この簡素な共振構造体２１により反射ミラー３の振動を低減することができる。また、この共振構造体２１は、ガラス１部材で構成された簡素な部品であるので、当該共振構造体２１自体を容易に製造することができる上、反射ミラー３への止着も容易に行うことができる。
【００１３】
また、図３に示すように、共振構造体２１は板状に形成されており、反射ミラー３の裏面に両面テープ２０で接着されている。このように、ガラス製の共振構造体２１は表面粗さが小さく密着性が良いので、反射ミラー３に両面テープ２０での止着が可能となり、反射ミラー３に容易に取り付けることができる。なお、これ以外に共振構造体２１は、反射ミラー３の裏面に接着剤で接着されていても良く、反射ミラー３の裏面にボルトで固定されていても良い。
【００１４】
また、共振構造体２１は、表面粗さが算術平均粗さ（Ra）で０．５nm以下に形成されていることが好ましい。このような表面粗さとすることで、共振構造体２１の反射ミラー３への密着性をより良好にすることができる。
【００１５】
さらに、本発明者は、後述する実験により、反射ミラー３の質量に対する共振構造体２１の質量の比率を０．６５以上とした場合に、反射ミラー３の振動低減効果が特に大きくなることを見出した。このことから、本実施形態においては、図３に示す反射ミラー３の質量を５５ｇとし、共振構造体２１の質量を３６ｇとした。
【００１６】
上記実験の詳細について図４〜８及び表１を参照して説明する。図４は、反射ミラー３の振動量を測定する実験装置の説明図である。図５は、図４の実験装置を用いた反射ミラー３の振動量測定方法を説明する図である。
【００１７】
まず、図４に示すように、共振構造体２１を止着した反射ミラー３の両端部を床面に固定したピン２２の上に載せ、反射ミラー３の上面をピン２３で支持する。反射ミラー３に止着されている共振構造体２１はピン２２側になるよう下向きに装着する。そして、図５に示すように、反射ミラー３上面の１点をインパルスハンマ２４で打撃し、反射ミラー３上面の打撃位置と異なる点に止着した加速度センサ２５で振動量（単位荷重あたりの加速度）を測定する。このような手順で、共振構造体２１の質量を変えて反射ミラー３の振動量を測定した。また、本実験では、質量が５５ｇの反射ミラー３を用いた。
【００１８】
図５に示す測定方法で計測した振動量は、図６に示すように、横軸が周波数（Ｈｚ）、縦軸が振動量（加速度/力）のグラフで表示することができる。このグラフの山の頂点を共振点といい、周波数の低い順から１次、２次と呼び、１次ピーク周波数ｆ１の振動量をＧ１、２次ピーク周波数ｆ２の振動量をＧ２とする。
【００１９】
図７は、共振構造体２１の質量を変えて反射ミラー３を加振した時の反射ミラー３の１次ピーク振動量の実験結果及び近似式について説明する図である。図７において、横軸は反射ミラー３に対する共振構造体２１の質量比、縦軸は図６に示す１次ピーク振動量（加速度/力）である。測定した５点は図７に示す関数で近似することができる。
【００２０】
図８は、共振構造体２１の質量を変えて反射ミラー３を加振した時の反射ミラー３の２次ピーク振動量の実験結果及び近似式について説明する図である。図８において、横軸は反射ミラー３に対する共振構造体２１の質量比、縦軸は図６に示す２次ピーク振動量（加速度/力）である。測定した５点は図８に示す関数で近似することができる。
【００２１】
下記表１は、共振構造体２１の質量変化に対する反射ミラー３の１次及び２次ピーク振動量の実験結果の数値について説明する図である。
【００２２】
【表１】
2017223832.tif 000003
【００２３】
図７，８及び表１より、反射ミラー３に対する共振構造体２１の質量比が０．６５以上であると反射ミラー３の振動量を十分に低減できることがわかる。よって、本実施形態のように反射ミラー３の質量が５５ｇである場合は、共振構造体２１の質量が３６ｇ以上であることが好ましい。
【００２４】
（画像形成装置の実施形態）
次に、上述した光走査装置１１が適用される画像形成装置の一実施形態について図９を参照して説明する。図９において、符号１００は画像形成装置であり、符号１１は上述した光走査装置であり、符号１３は上記感光体１２（図２）及び中間転写ベルト１４を含んで構成される画像形成部であり、符号１５は転写部であり、符号１６は定着部であり、符号１７は各種サイズの用紙Ｓが積載された給紙カセットであり、符号１８は排紙トレイである。
【００２５】
このような画像形成装置１００においては、光走査装置１１によって感光体１２を露光して静電潜像を形成し、画像形成部１３においてトナー画像を形成し、転写部１５において給紙カセット１７から搬送されてきた用紙Ｓにトナー画像を転写し、定着部１６において用紙Ｓに転写されたトナー画像を定着する。定着後の用紙Ｓは、装置外部の排紙トレイ１８に排出される。
【００２６】
なお、本発明は上記実施形態に限定されるものではない。即ち、本発明の骨子を逸脱しない範囲で種々変形して実施することができる。
【符号の説明】
【００２７】
１  光源
２  ポリゴンミラー
３  反射ミラー
４  被走査面
５  拡大レンズ
１０  筐体
１１  光走査装置
１２  感光体
１３  画像形成部
１４  中間転写ベルト
１５  転写部
１６  定着部
１７  給紙カセット
１８  排紙トレイ
２０  両面テープ
２１  共振構造体
２２  ピン
２３  ピン
２４  インパルスハンマ
２５  加速度センサ
１００  画像形成装置
【先行技術文献】
【特許文献】
【００２８】
【特許文献１】特開平１０−３０７２７４号公報
【図１】
2017223832.tif 000004
【図２】
2017223832.tif 000005
【図３】
2017223832.tif 000006
【図４】
2017223832.tif 000007
【図５】
2017223832.tif 000008
【図６】
2017223832.tif 000009
【図７】
2017223832.tif 000010
【図８】
2017223832.tif 000011
【図９】
2017223832.tif 000012